【手続補正書】
【提出日】平成15年12月8日(2003.12.8)
【手続補正１】
【補正対象書類名】明細書
【補正対象項目名】特許請求の範囲
【補正方法】変更
【補正の内容】
【特許請求の範囲】
【請求項１】
複数の光源と、該複数の光源から出射した複数のレーザ光束を偏向する偏向手段と、該偏向手段により偏向された複数のレーザ光束を感光体面上に結像させる走査光学手段と、を有するマルチビーム走査光学装置において、
該走査光学手段は倍率色収差が過補正となるよう設定され、かつ該感光体面に入射する複数のレーザ光束と該感光体面の法線との成す副走査方向の角度が最も小さくなるレーザ光束を出射する光源の発振波長は、最も大きくなるレーザ光束を出射する光源の発振波長より短いことを特徴とするマルチビーム走査光学装置。
【請求項２】
前記走査光学手段は少なくとも１つの回折光学素子を有していることを特徴とする請求項１に記載のマルチビーム走査光学装置。
【請求項３】
前記偏向手段によって偏向された複数のレーザ光束の一部を同期検知レンズにより同期検出素子に導光し、該同期検出素子からの信号を用いて前記感光体面上の走査開始位置のタイミングを制御する同期位置検出手段を有し、
該同期検知レンズは該偏向手段から該同期検出素子に到る光路に対し正対して配置されていることを特徴とする請求項１又は２に記載のマルチビーム走査光学装置。
【請求項４】
ｎ個の光源と、該ｎ個の光源から出射したｎ本のレーザ光束を偏向する偏向手段と、該偏向手段により偏向されたｎ本のレーザ光束を円筒状の感光体面上に結像させ、ｎ本の走査線を形成する走査光学手段と、を有するマルチビーム走査光学装置において、
該走査光学手段は倍率色収差が過補正となるよう設定され、該ｎ本の走査線のうち、１番目の走査線は該感光体面上の頂点から副走査方向に距離Ｓだけ離間した位置に形成され、ｍ番目（１＜ｍ≦ｎ）の走査線は該感光体面上の頂点から副走査方向に距離（Ｓ＋ｄ）だけ離間した位置に形成され、１番目の走査線を形成するレーザ光束を出射する光源の発振波長と、ｍ番目の走査線を形成するレーザ光束を出射する光源の発振波長を各々λ1、λmとしたとき、
【数１】
2002267968.tif 000001
但し、
ΔＹ2：単位波長当りの像高最外部におけるドットのずれ量、
Ｄ：１画素の大きさ、
α：感光体面に入射するレーザ光束と該感光体面の法線とが主走査方向
になす角度の最大値、
Ｒ：感光体の半径
なる条件を満足することを特徴とするマルチビーム走査光学装置。
【請求項５】
前記マルチビーム走査光学装置は、
−１≦λm−λ1≦３    （単位：ｎｍ）
なる条件を満足することを特徴とする請求項４に記載のマルチビーム走査光学装置。
【請求項６】
前記走査光学手段は少なくとも１つの回折光学素子を有していることを特徴とする請求項４又は５に記載のマルチビーム走査光学装置。
【請求項７】
前記偏向手段によって偏向されたｎ本のレーザ光束の一部を同期検知レンズにより同期検出素子に導光し、該同期検出素子からの信号を用いて前記感光体面上の走査開始位置のタイミングを制御する同期位置検出手段を有し、
該同期検知レンズが該偏向手段から該同期検出素子に到る光路に対し正対して配置されていることを特徴とする請求項４、５又は６に記載のマルチビーム走査光学装置。
【請求項８】
複数の光源と、該複数の光源から出射した複数のレーザ光束を偏向する偏向手段と、該偏向手段により偏向された複数のレーザ光束を感光体面上に結像させる走査光学手段と、を有するマルチビーム走査光学装置において、
該走査光学手段は倍率色収差が補正不足となるよう設定され、かつ該感光体面に入射する複数のレーザ光束と該感光体面の法線との成す副走査方向の角度が最も小さくなるレーザ光束を出射する光源の発振波長は、最も大きくなるレーザ光束を出射する光源の発振波長より長いことを特徴とするマルチビーム走査光学装置。
【請求項９】
前記走査光学手段は屈折光学素子より構成されていることを特徴とする請求項８に記載のマルチビーム走査光学装置。
【請求項１０】
前記偏向手段によって偏向された複数のレーザ光束の一部を同期検知レンズにより同期検出素子に導光し、該同期検出素子からの信号を用いて前記感光体面上の走査開始位置のタイミングを制御する同期位置検出手段を有し、
該同期検知レンズは該偏向手段から該同期検出素子に到る光路に対し正対して配置されていることを特徴とする請求項８又は９に記載のマルチビーム走査光学装置。
【請求項１１】
ｎ個の光源と、該ｎ個の光源から出射したｎ本のレーザ光束を偏向する偏向手段と、該偏向手段により偏向されたｎ本のレーザ光束を円筒状の感光体面上に結像させ、ｎ本の走査線を形成する走査光学手段と、を有するマルチビーム走査光学装置において、
該走査光学手段は倍率色収差が補正不足となるよう設定され、該ｎ本の走査線のうち、１番目の走査線は該感光体面の頂点から副走査方向に距離Ｓだけ離間した位置に形成され、ｍ番目（１＜ｍ≦ｎ）の走査線は該感光体面の頂点から副走査方向に距離（Ｓ＋ｄ）だけ離間した位置に形成され、１番目の走査線を形成するレーザ光束を出射する光源の発振波長とｍ番目の走査線を形成するレーザ光束を出射する光源の発振波長を各々λ1、λmとしたとき、
【数２】
2002267968.tif 000002
但し、
ΔＹ2：単位波長当りの像高最外部におけるドットのずれ量、
Ｄ：１画素の大きさ、
α：感光体面に入射するレーザ光束と該感光体面の法線とが主走査方向
になす角度の最大値、
Ｒ：感光体の半径
なる条件を満足することを特徴とするマルチビーム走査光学装置。
【請求項１２】
前記マルチビーム走査光学装置は、
−１≦λ1−λm≦３    （単位：ｎｍ）
なる条件を満足することを特徴とする請求項１１に記載のマルチビーム走査光学装置。
【請求項１３】
前記走査光学手段は屈折光学素子より構成されていることを特徴とする請求項１１又は１２に記載のマルチビーム走査光学装置。
【請求項１４】
前記偏向手段によって偏向されたｎ本のレーザ光束の一部を同期検知レンズにより同期検出素子に導光し、該同期検出素子からの信号を用いて前記感光体面上の走査開始位置のタイミングを制御する同期位置検出手段を有し、
該同期検知レンズが該偏向手段から該同期検出素子に到る光路に対し正対して配置されていることを特徴とする請求項１１、１２又は１３に記載のマルチビーム走査光学装置。
【請求項１５】
請求項１乃至１４のいずれか１項に記載のマルチビーム走査光学装置と、前記被走査面に配置された感光体と、前記マルチビーム走査光学装置で走査された光束によって前記感光体上に形成された静電潜像をトナー像として現像する現像器と、前記現像されたトナー像を被転写材に転写する転写器と、転写されたトナー像を被転写材に定着させる定着器とを有していることを特徴とする画像形成装置。
【請求項１６】
請求項１乃至１４のいずれか１項に記載のマルチビーム走査光学装置と、外部機器から入力したコードデータを画像信号に変換して前記マルチビーム走査光学装置に入力せしめるプリンタコントローラとを有していることを特徴とする画像形成装置。
【請求項１７】
複数の光源と、該複数の光源から出射した複数のレーザ光束を偏向する偏向手段と、該偏向手段により偏向された複数のレーザ光束を感光体面上に結像させる走査光学手段と、を有するマルチビーム走査光学装置において、
前記複数のレーザ光束の光路長差に起因する主走査方向のトッドの位置ずれが前記複数のレーザ光束の相対波長差に起因する主走査方向のドットの位置ずれで補正されていることを特徴とするマルチビーム走査光学装置。
【請求項１８】
前記複数のレーザ光束の光路長差に起因する主走査方向のトッドの位置ずれ量と前記複数のレーザ光束の相対波長差に起因する主走査方向のドットの位置ずれ量とが相殺されていることを特徴とする請求項１７記載のマルチビーム走査光学装置。
【請求項１９】
請求項１７又は１８に記載のマルチビーム走査光学装置と、前記被走査面に配置された感光体と、前記マルチビーム走査光学装置で走査された光束によって前記感光体上に形成された静電潜像をトナー像として現像する現像器と、前記現像されたトナー像を被転写材に転写する転写器と、転写されたトナー像を被転写材に定着させる定着器とを有していることを特徴とする画像形成装置。
【請求項２０】
請求項１又は１８に記載のマルチビーム走査光学装置と、外部機器から入力したコードデータを画像信号に変換して前記マルチビーム走査光学装置に入力せしめるプリンタコントローラとを有していることを特徴とする画像形成装置。
【手続補正２】
【補正対象書類名】明細書
【補正対象項目名】００３９
【補正方法】変更
【補正の内容】
【００３９】
請求項１６の発明の画像形成装置は、
請求項１乃至１４のいずれか１項に記載のマルチビーム走査光学装置と、外部機器から入力したコードデータを画像信号に変換して前記マルチビーム走査光学装置に入力せしめるプリンタコントローラとを有していることを特徴としている。
請求項１７の発明のマルチビーム走査光学装置は、
複数の光源と、該複数の光源から出射した複数のレーザ光束を偏向する偏向手段と、該偏向手段により偏向された複数のレーザ光束を感光体面上に結像させる走査光学手段と、を有するマルチビーム走査光学装置において、
前記複数のレーザ光束の光路長差に起因する主走査方向のトッドの位置ずれが前記複数のレーザ光束の相対波長差に起因する主走査方向のドットの位置ずれで補正されていることを特徴としている。
請求項１８の発明は請求項１７の発明において、
前記複数のレーザ光束の光路長差に起因する主走査方向のトッドの位置ずれ量と前記複数のレーザ光束の相対波長差に起因する主走査方向のドットの位置ずれ量とが相殺されていることを特徴としている。
請求項１９の発明の画像形成装置は、
請求項１７又は１８に記載のマルチビーム走査光学装置と、前記被走査面に配置された感光体と、前記マルチビーム走査光学装置で走査された光束によって前記感光体上に形成された静電潜像をトナー像として現像する現像器と、前記現像されたトナー像を被転写材に転写する転写器と、転写されたトナー像を被転写材に定着させる定着器とを有していることを特徴とする画像形成装置。
請求項２０の発明の画像形成装置は、
請求項１又は１８に記載のマルチビーム走査光学装置と、外部機器から入力したコードデータを画像信号に変換して前記マルチビーム走査光学装置に入力せしめるプリンタコントローラとを有していることを特徴とする画像形成装置。